(57)【要約】      （修正有）【課題】指示計のガラス板又は枠体に貼り付けて定格値等を正確に確認できると共に、その指示テープを指示計に容易に貼り付けることのできる指示テープを提供する。【解決手段】流量計、電流計又は圧力計等の指示計の定格値等を指す鋭角的な形状の指示部３と、その他端に手指で持ちやすいように形成した広面部４を有する指示テープ本体５と、指示テープ本体５の裏面に塗布した粘着剤とから成り、これを指示計の定格値等を明確に読み取るために、指示計のガラス板又は枠体に貼り付ける。【選択図】図２
2008180792.tif 000002
【特許請求の範囲】
【請求項１】
流量計、電流計又は圧力計等の指示計（２）の定格値等を明確に読み取るために、該指示計（２）のガラス板（６）又は枠体（７）に貼り付ける指示計用定格値指示テープ（１）であって、
前記指示計（２）の定格値等を指す鋭角的な形状の指示部（３）と、その他端に手指で持ちやすいように形成した広面部（４）を有する指示テープ本体（５）と、
前記指示テープ本体（５）の裏面に塗布した粘着剤（９）と、から成る、ことを特徴とする指示計用定格値指示テープ。
【請求項２】
前記指示計用定格値指示テープ（１）は、平面視で略三角形状に形成したものである、ことを特徴とする請求項１の指示計用定格値指示テープ。
【請求項３】
前記指示計用定格値指示テープ（１）は、平面視で鋭角部を有する略雫形状に形成したものである、ことを特徴とする請求項１の指示計用定格値指示テープ。
【請求項４】
前記指示計用定格値指示テープ（１）は、
前記指示テープ本体（５）となる基材テープ（８）を、該基材テープ（８）の裏面に粘着剤（９）を塗布して、剥離剤を塗布した台紙テープ（１０）に貼り付け、  
該基材テープ（８）のみを、前記指示部（３）と広面部（４）が形成されるように型抜きし、
更に、該基材テープ（８）に、前記指示部（３）と広面部（４）との型抜き線（１１）の周囲に連続して、該基材テープ（８）の分割用の切断線（１２）を設け、
該切断線（１２）を折り曲げ、前記台紙テープ（１０）から剥がす際に前記指示テープ本体（５）の一部が飛び出すように構成したものである、ことを特徴とする請求項１の指示計用定格値指示テープ。
【発明の詳細な説明】
【技術分野】
【０００１】
本発明は、流量計、電流計又は圧力計等の指示計の定格値等を確認しやすくするために、その指示計のガラス板又は枠体に貼り付ける指示計用定格値指示テープに関する。
【背景技術】
【０００２】
発変電所等における中央制御室及び現場の操作盤等には多数の指示計が設置されている。労働安全衛生法には、「圧力計の目盛りに最高使用圧力を示す位置に見やすい表示をしなければならない。」と規定されている。そこで、流量計、電流計又は圧力計等の指示計における定格値等を明確にするために、現場作業においては種々の工夫がなされている。その定格値を明示するために、例えば、指示計のガラス板又は枠体に油性ペンでマークを書いていた。また、ビニールテープのような目だった色の粘着テープを三角形状に切断したマーカーを指示計のガラス板等に貼り付けていた。
【０００３】
このように粘着テープを所定のものの指示に利用する技術が種々提案されている。例えば、特許文献１の実開平５−２１８０号公報「注意喚起用色付粘着テープ」に示すように、所定の大きさの色付粘着性テープと、この色付粘着性テープに表示された指示内容と、形状もしくは模様により指示方向を示す手段とを具備する注意喚起用色付粘着テープが提案されている。この注意喚起用色付粘着テープは、所定の大きさのテープを容易に貼付け使用でき、指示内容により注意の詳細を表示でき、指示方向より注意方向を示すことができ、更に、テープの色を変えて、注意レベル、重要性等を表示できるものである。
【特許文献１】実開平５−２１８０号公報
【発明の開示】
【発明が解決しようとする課題】
【０００４】
しかし、上述した指示計のガラス板又は枠体に直接油性ペンで書いたマークでは、その定格値を変更する際に、油性ペンのマークの位置を変えるために、そのマークを消し、別の位置に油性ペンで線を引くために、消した跡で指示計が汚れやすいという問題を有していた。
【０００５】
また、粘着テープを三角形状に切断した指示テープでは、鋏で粘着テープを三角形状に切断しているため、その作業時間がかかると共に、鋏で切るために形状が不揃いになりやすいという問題を有していた。特に１箇所の発電所においても、指示テープを使用する箇所が数万箇所あり、その作成は大変煩雑な作業になっていた。
【０００６】
本発明は、かかる問題点を解決するために創案されたものである。すなわち、本発明の目的は、予め略三角形状等の定格値指示テープを準備しておくことで、多数ある指示計のガラス板又は枠体に貼り付けて定格値等を正確に確認できると共に、その指示テープを指示計に容易に貼り付けることができる指示計用定格値指示テープを提供することにある。
【課題を解決するための手段】
【０００７】
本発明によれば、流量計、電流計又は圧力計等の指示計（２）の定格値等を明確に読み取るために、該指示計（２）のガラス板（６）又は枠体（７）に貼り付ける指示計用定格値指示テープ（１）であって、前記指示計（２）の定格値等を指す鋭角的な形状の指示部（３）と、その他端に手指で持ちやすいように形成した広面部（４）を有する指示テープ本体（５）と、前記指示テープ本体（５）の裏面に塗布した粘着剤（９）と、から成る、ことを特徴とする指示計用定格値指示テープが提供される。
前記指示計用定格値指示テープ（１）は、平面視で略三角形状に、又は鋭角部を有する略雫形状に形成することが好ましい。
【０００８】
前記指示計用定格値指示テープ（１）は、前記指示テープ本体（５）となる基材テープ（８）を、該基材テープ（８）の裏面に粘着剤（９）を塗布して、剥離剤を塗布した台紙テープ（１０）に貼り付け、該基材テープ（８）のみを、前記指示部（３）と広面部（４）が形成されるように型抜きし、更に、該基材テープ（８）に、前記指示部（３）と広面部（４）との型抜き線（１１）の周囲に連続して、該基材テープ（８）の分割用の切断線（１２）を設け、該切断線（１２）を折り曲げ、前記台紙テープ（１０）から剥がす際に前記指示テープ本体（５）の一部が飛び出すように構成することができる。
【発明の効果】
【０００９】
上記構成では、指示部（３）とその他端に手指で持ちやすい広面部（４）を有する指示計用定格値指示テープ（１）を、指示計（２）のガラス板（６）又は枠体（７）に容易に貼り付けることができる。この指示計用定格値指示テープ（１）により定格値等を正確に確認することができる。
また、基材テープ（８）に分割用の切断線（１２）を設けることにより、基材テープ（８）を切断線（１２）で折るようにして曲げると、所定形状の指示計用定格値指示テープ（１）が台紙テープ（１０）から剥がれて飛び出すので、これを指示計（２）に迅速に貼り付けることができる。
【発明を実施するための最良の形態】
【００１０】
本発明の指示計用定格値指示テープは、指示計の定格値等を指す鋭角的な形状の指示部と、その他端に手指で持ちやすいように形成した広面部を有する指示テープ本体と、指示テープ本体の裏面に塗布した粘着剤とから成る指示テープである。
【実施例１】
【００１１】
以下、本発明の好ましい実施の形態を図面を参照して説明する。
図１は本発明の実施例１の指示計用定格値指示テープを貼り付けた指示計を示す正面図である。図２は定格値指示テープの拡大平面図である。
実施例１の指示計用定格値指示テープ１は、指示計２の定格値等を指す鋭角的な形状の指示部３と、その他端に手指で持ちやすいように形成した広面部４を有する指示テープ本体５と、この指示テープ本体５の裏面に塗布した粘着剤９とから成る。指示計用定格値指示テープ１は、図２に示すように、平面視で略三角形状に形成することが好ましい。
【００１２】
この定格値指示テープ１は、指示計２のガラス板６又は枠体７に貼り付け、指示計２の定格値等を明確にすることができる。定格値指示テープ１は、例えば指示計２のガラス板６に、その鋭角的な形状の指示部３を指示計２の数値に向けて貼り付ける。この貼り付ける際に、定格値指示テープ１の広面部４を持ちながら作業する。図示例では、定格値指示テープ１を、指示計２のガラス板６に貼り付けた状態を示しているが、指示計２周囲の枠体７に貼り付けることも勿論可能である。
【００１３】
図３は指示計用定格値指示テープを巻きテープから剥がす状態を示すものであり、（ａ）は巻きテープの部分平面図、（ｂ）は巻きテープの部分側面図、（ｃ）は定格値指示テープを巻きテープから剥がす前の状態を示す側断面図、（ｄ）は定格値指示テープを巻きテープから剥がした状態を示す側断面図である。なお、図３では各部材の形状と機能を分かりやすくするために実際の寸法より厚みを誇張して表現している。
本発明の定格値指示テープ１は、指示テープ本体５となる可撓性を有するプラスチックフィルムのような基材テープ８を、その裏面に粘着剤９を塗布し、これを剥離剤を塗布した台紙テープ１０に貼り付けた巻きテープを製造し、この巻きテープから必要に応じて剥がし取るようになっている。図３（ａ）に示すように、この基材テープ８のみは、指示部３と広面部４が形成されるように例えば略三角形状に型抜きしたものである。
【００１４】
本発明では、図３（ｂ）に示すように、更にこの基材テープ８に、指示部３と広面部４との型抜き線１１の周囲に連続して、基材テープ８の分割用の切断線１２を設けている。この分割用の切断線１２により、図３（ｃ）、（ｄ）に示すように、この切断線１２を折るようにして、指示テープ本体５を台紙テープ１０から剥がすように取り出すことができる。
【００１５】
図４と図５は定格値指示テープの変形例を示す拡大平面図である。
定格値指示テープ１は、指示計２の定格値等を指す鋭角的な形状の指示部３と、その他端に手指で持ちやすいように形成した広面部４を有する形状であれば平面視で略三角形状に限定されない。図４に示すように、一端に鋭角部を有する略雫形状にしたものでもよい。あるいは、図５に示すように、変形した菱形の形状にしたものでもよい。
【００１６】
図６は指示計用定格値指示テープを巻きテープの他の実施例を示す巻きテープの一部平面図である。
本発明の定格値指示テープ１は、図３に示すように形成すると、基材テープ８に余白の無駄な部分が多く出る。そこで、略三角形状の定格値指示テープ１の場合は、図６に示すように、略三角形状の定格値指示テープ１を交互に配置することで、殆ど無駄が出ないようにすことができる。このように無駄がでないように、定格値指示テープ１を配置するものであれば、図示例の配置に限定されない。
【００１７】
なお、本発明は、予め略三角形状等の定格値指示テープ１を準備しておくことで、多数ある指示計２のガラス板６又は枠体７に貼り付けて定格値等を正確に確認できると共に、その指示テープ１を指示計２に容易に貼り付けることができれば、上述した発明の実施の形態に限定されず、本発明の要旨を逸脱しない範囲で種々変更できることは勿論である。
【産業上の利用可能性】
【００１８】
本発明の指示計用定格値指示テープ１は、発電所の流量計、電流計又は圧力計等の指示計２に貼り付け定格値等を確認しやすくする際に利用することができるが、所定の数値を確認する作業であれば、このような指示計２以外のものにも貼り付けて利用することができる。
【図面の簡単な説明】
【００１９】
【図１】実施例１の指示計用定格値指示テープを貼り付けた指示計を示す正面図である。
【図２】定格値指示テープの拡大平面図である。
【図３】指示計用定格値指示テープを巻きテープから剥がす状態を示すものであり、（ａ）は巻きテープの部分平面図、（ｂ）は巻きテープの部分側面図、（ｃ）は定格値指示テープを巻きテープから剥がす前の状態を示す側断面図、（ｄ）は定格値指示テープを巻きテープから剥がした状態を示す側断面図である。
【図４】定格値指示テープの変形例を示す拡大平面図である。
【図５】定格値指示テープの変形例を示す拡大平面図である。
【図６】指示計用定格値指示テープを巻きテープの他の実施例を示す巻きテープの一部平面図である。
【符号の説明】
【００２０】
１  指示計用定格値指示テープ
２  指示計
３  指示部
４  広面部
５  指示テープ本体
６  指示計のガラス板
７  指示計の枠体
８  基材テープ
９  粘着剤
１０  台紙テープ
１１  型抜き線
１２  切断線
【図１】
2008180792.tif 000003
【図２】
2008180792.tif 000004
【図３】
2008180792.tif 000005
【図４】
2008180792.tif 000006
【図５】
2008180792.tif 000007
【図６】
2008180792.tif 000008